(57)【要約】【課題】シールドシェルの有無に関わらずインナーハウジングをアウターハウジングにガタ付くことなく収納保持することができるとともに、インナーハウジングとアウターハウジングを共用することにより部品点数を減らすことができるコネクタを提供する。【解決手段】コネクタ１は、端子３を収納保持するインナーハウジング５と、インナーハウジング５に取り付け可能なシールドシェル６と、インナーハウジング収納保持部５５を有するアウターハウジング７とを備える。シールドシェル６は、コネクタ１の伝送速度に応じて着脱自在に取り付けられる。インナーハウジング５は、インナーハウジング収納保持部５５の内面５６との間にシールドシェル６の取り付け時又はシールドシェル６の非取り付け時のいずれであってもインナーハウジング５をインナーハウジング収納保持部５５にガタ付くことなく収納保持することができるガタ抑え手段が設けられる。【選択図】図１
2018026269.tif 000002
【特許請求の範囲】
【請求項１】
複数の信号線のそれぞれの端末に圧着された端子を収納保持するインナーハウジングと、該インナーハウジングに取り付け可能な筒状に形成されるシールドシェルと、前記インナーハウジングを収納保持するインナーハウジング収納保持部を有するアウターハウジングと、を備えるコネクタにおいて、
前記シールドシェルは、当該コネクタの伝送速度に応じて着脱自在に取り付けられてなり、
前記インナーハウジングは、前記インナーハウジング収納保持部の内面との間に前記シールドシェルの取り付け時又は該シールドシェルの非取り付け時のいずれであっても前記インナーハウジングを前記インナーハウジング収納保持部にガタ付くことなく収納保持することができるガタ抑え手段を設けてなる
ことを特徴とするコネクタ。
【請求項２】
請求項１に記載のコネクタにおいて、
前記シールドシェルは、この外面に係合孔を設け、
前記ガタ抑え手段は、前記インナーハウジングの外面に設けられ前記インナーハウジングに前記シールドシェルを取り付けたときに前記係合孔に係合し且つ前記インナーハウジングを前記インナーハウジング収納保持部に収納したときに該インナーハウジング収納保持部の内面に当接し前記インナーハウジングのガタ付きを抑えるガタ抑え突起として形成される
ことを特徴とするコネクタ。
【請求項３】
請求項２に記載のコネクタにおいて、
前記ガタ抑え突起は、前記インナーハウジングの外面に複数設けられ且つ前記インナーハウジングの軸方向に沿って並ぶように配置される
ことを特徴とするコネクタ。
【請求項４】
請求項２又は３に記載のコネクタにおいて、
前記インナーハウジング収納保持部は、この内面が平面になるように形成され、
前記ガタ抑え突起は、この先端面が前記インナーハウジング収納保持部の内面に合わせて平面になるように形成される
ことを特徴とするコネクタ。
【請求項５】
請求項１，２，３又は４に記載のコネクタにおいて、
前記インナーハウジングは、この外面に係合突起を設け、
前記アウターハウジングは、前記インナーハウジング収納保持部の内面に前記係合突起に係合可能な係合片を設ける
ことを特徴とするコネクタ。
【請求項６】
請求項２，３，４又は５に記載のコネクタにおいて、
当該コネクタは、さらに、前記インナーハウジング及び前記アウターハウジングに取り付けられる係止部材を備え、
前記係止部材に、該係止部材を前記インナーハウジング及び前記アウターハウジングに取り付けたときに前記ガタ抑え突起に当接し該ガタ抑え突起を係止する係止部を設ける
ことを特徴とするコネクタ。
【発明の詳細な説明】
【技術分野】
【０００１】
本発明は、伝送ケーブルであるツイストペアケーブルやシールドケーブルに接続されるコネクタに関する。
【背景技術】
【０００２】
従来、伝送ケーブルとして、一対の信号線を撚り合わせてなるツイストペアケーブルや、ツイストペアケーブルの外側に編組等のシールド導体を設けてなるシールドケーブルが用いられている。
【０００３】
また、伝送ケーブル同士の電気的な接続には、コネクタが用いられている。
情報通信系のコネクタにおいて、伝送速度に応じて、ツイストペアケーブルやシールドケーブルを使い分けており、伝送速度が１Ｇｂｐｓ（ギガビット毎秒）を超える場合、ノイズ対策として、シールドシェルを備えることが必要になる。
シールドケーブルの端末に接続され、シールドシェルを備えるシールドコネクタとして、例えば、特許文献１に開示されたような技術が知られている。
【０００４】
特許文献１の図１に図示するシールドコネクタ１は、多芯シールド電線（シールドケーブル）９の信号線部分９ａに電気的に接続される端子２と、端子２を収容保持する絶縁ハウジング（インナーハウジング）３と、絶縁ハウジング３の外面に一端部５ａが保持され他端部５ｃに多芯シールド電線９の編組部分９ｃが電気的に接続される中継端子５と、絶縁ハウジング３に外嵌され中継端子５の一端部５ａに電気的に接触するシールドシェル６と、信号線部分９ａに接続された端子２、中継端子５及びシールドシェル６等を組み付けた絶縁ハウジング３を収納保持する防水ハウジング（アウターハウジング）７とを備えて構成されている。
【０００５】
特許文献１の図４（ｂ）に図示するように、端子２、中継端子５及びシールドシェル６等を組み付けた絶縁ハウジング３を、防水ハウジング７の挿入穴７ａからキャビティ７ｂに挿入すると、シールドシェル６の切り起こし片６ｃ（図４（ａ）参照）がキャビティ７ｂの係止突起７ｃに係止される。これにより、上記絶縁ハウジング３は、防水ハウジング７のキャビティ７ｂ内に収納保持される。
【先行技術文献】
【特許文献】
【０００６】
【特許文献１】特開２０００−１５６２６１号公報
【発明の概要】
【発明が解決しようとする課題】
【０００７】
従来技術において、伝送速度が１Ｇｂｐｓ以下の場合、シールドシェルは、構成部品として組み込まれていない。このため、従来技術では、シールドシェルの有無によってコネクタのハウジングを使い分けなければならず、コネクタの部品点数が増えてしまうという問題点があった。
【０００８】
なお、従来技術では、アウターハウジングのキャビティは、シールドシェルを取り付けた状態のインナーハウジングが収納保持されるように形成されている。このため、従来技術において、シールドシェルを取り付けていないインナーハウジングをキャビティに収納しようとしても、インナーハウジングがキャビティ内でガタ付いてしまい、キャビティに保持することができないのは言うまでもない。
【０００９】
また、従来技術では、上記問題点の他、つぎのような問題点もあった。
従来技術では、インナーハウジングとアウターハウジングとの組み付けの際、インナーハウジングに外嵌されるシールドシェルの切り起こし片がアウターハウジングのキャビティの係止突起に係止（一次係止）されているが、さらに、他の従来のコネクタと同様、インナーハウジング及びアウターハウジングをスペーサ等の係止部材で係止（二次係止）する構造を設けることが求められている。
【００１０】
しかしながら、従来技術では、上記二次係止する構造を設けるためのスペースがないため、インナーハウジングとアウターハウジングを二次係止することができなかった。このため、従来技術において、インナーハウジングとアウターハウジングを組み付けた状態で、例えば、シールドケーブルが引っ張られたときに、インナーハウジングの上記引っ張りに対する保持力が不十分であるという問題点があった。
【００１１】
本発明は、上記した事情に鑑みてなされたもので、シールドシェルの有無に関わらずインナーハウジングをアウターハウジングにガタ付くことなく収納保持することができるとともに、インナーハウジングとアウターハウジングを共用することにより部品点数を減らすことができるコネクタを提供することを課題とする。
【課題を解決するための手段】
【００１２】
上記課題を解決するためになされた請求項１記載の本発明のコネクタは、複数の信号線のそれぞれの端末に圧着された端子を収納保持するインナーハウジングと、該インナーハウジングに取り付け可能な筒状に形成されるシールドシェルと、前記インナーハウジングを収納保持するインナーハウジング収納保持部を有するアウターハウジングと、を備えるコネクタにおいて、前記シールドシェルは、当該コネクタの伝送速度に応じて着脱自在に取り付けられてなり、前記インナーハウジングは、前記インナーハウジング収納保持部の内面との間に前記シールドシェルの取り付け時又は該シールドシェルの非取り付け時のいずれであっても前記インナーハウジングを前記インナーハウジング収納保持部にガタ付くことなく収納保持することができるガタ抑え手段を設けてなることを特徴とする。
【００１３】
このような特徴を有する本発明によれば、インナーハウジングは、インナーハウジング収納保持部との間にガタ抑え手段を設けることにより、インナーハウジングに対するシールドシェルの取り付けの有無に関わらずインナーハウジング収納保持部内にガタ付くことなく収納保持されるようになる。
【００１４】
請求項２記載の本発明のコネクタは、請求項１に記載のコネクタにおいて、前記シールドシェルは、この外面に係合孔を設け、前記ガタ抑え手段は、前記インナーハウジングの外面に設けられ前記インナーハウジングに前記シールドシェルを取り付けたときに前記係合孔に係合し且つ前記インナーハウジングを前記インナーハウジング収納保持部に収納したときに該インナーハウジング収納保持部の内面に当接し前記インナーハウジングのガタ付きを抑えるガタ抑え突起として形成されることを特徴とする。
【００１５】
このような特徴を有する本発明によれば、インナーハウジングにシールドシェルを取り付けたときにシールドシェルの係合孔にガタ抑え突起が係合するようになる。また、インナーハウジングをインナーハウジング収納保持部に収納したときにガタ抑え突起がインナーハウジング収納保持部の内面に当接するようになる。
【００１６】
請求項３記載の本発明のコネクタは、請求項２に記載のコネクタにおいて、前記ガタ抑え突起は、前記インナーハウジングの外面に複数設けられ且つ前記インナーハウジングの軸方向に沿って並ぶように配置されることを特徴とする。
【００１７】
このような特徴を有する本発明によれば、インナーハウジング収納保持部内でのインナーハウジングのガタ付きの抑制は、インナーハウジングの軸方向に沿って複数の箇所で行われるようになる。
【００１８】
請求項４記載の本発明のコネクタは、請求項２又は３に記載のコネクタにおいて、前記インナーハウジング収納保持部は、この内面が平面になるように形成され、前記ガタ抑え突起は、この先端面が前記インナーハウジング収納保持部の内面に合わせて平面になるように形成されることを特徴とする。
【００１９】
このような特徴を有する本発明によれば、先端面が平面に形成されたガタ抑え突起がインナーハウジング収納保持部の平面に形成された内面に当接するようになる。
【００２０】
請求項５記載の本発明のコネクタは、請求項１，２，３又は４に記載のコネクタにおいて、前記インナーハウジングは、この外面に係合突起を設け、前記アウターハウジングは、前記インナーハウジング収納保持部の内面に前記係合突起に係合可能な係合片を設けることを特徴とする。
【００２１】
このような特徴を有する本発明によれば、インナーハウジングをインナーハウジング収納保持部に収納したときに、インナーハウジングの係合突起とインナーハウジング収納保持部内の係合片とが係合するようになる。
【００２２】
請求項６記載の本発明のコネクタは、請求項２，３，４又は５に記載のコネクタにおいて、当該コネクタは、さらに、前記インナーハウジング及び前記アウターハウジングに取り付けられる係止部材を備え、前記係止部材に、該係止部材を前記インナーハウジング及び前記アウターハウジングに取り付けたときに前記ガタ抑え突起に当接し該ガタ抑え突起を係止する係止部を設けることを特徴とする。
【００２３】
このような特徴を有する本発明によれば、係止部材をインナーハウジング及びアウターハウジングに取り付けたときに、係止部材の係止部がガタ抑え突起に当接しガタ抑え突起を係止するようになる。
【発明の効果】
【００２４】
請求項１に記載された本発明によれば、シールドシェルの有無に関わらずインナーハウジングをアウターハウジングにガタ付くことなく収納保持することができるとともに、インナーハウジングとアウターハウジングを共用することにより部品点数を減らすことができるという効果を奏する。
【００２５】
請求項２に記載された本発明によれば、ガタ抑え突起がインナーハウジング収納保持部の内面に当接するためインナーハウジング収納保持部におけるインナーハウジングのガタ付きを抑制することができるという効果を奏する。
【００２６】
請求項３に記載された本発明によれば、インナーハウジングのガタ付きの抑制は、インナーハウジングの軸方向に沿って複数の箇所で行われるため、インナーハウジング収納保持部に収納保持されるインナーハウジングに対して、このインナーハウジングを揺動させるような力が作用しても、このような力の作用によるガタ付き（揺動的ガタ）を抑制することができるという効果を奏する。
【００２７】
請求項４に記載された本発明によれば、インナーハウジング収納保持部の内面に合わせて平面に形成されたガタ抑え突起の先端面がインナーハウジング収納保持部の内面に対して安定して当接するため、インナーハウジング収納保持部内でのインナーハウジングのガタ付きを、より確実に抑えることができるという効果を奏する。
【００２８】
請求項５に記載された本発明によれば、インナーハウジング収納保持部において、インナーハウジングの係合突起と係合片とが係合するため、インナーハウジング収納保持部内でのインナーハウジングのガタ付きを、より確実に抑えることができるという効果を奏する。
【００２９】
請求項６に記載された本発明によれば、係止部材の係止部がガタ抑え突起を係止するため、インナーハウジングとアウターハウジングを組み付けた状態で、例えば、コネクタに組み付けられた伝送ケーブルに引っ張り力が作用しても、この引っ張り力に対するインナーハウジングの保持力を向上することができるという効果を奏する。
【図面の簡単な説明】
【００３０】
【図１】本発明のコネクタを示す分解斜視図である。
【図２】インナーハウジングの斜視図である。
【図３】シールドシェルの斜視図である。
【図４】アウターハウジングの斜視図である。
【図５】係止部材の斜視図である。
【図６】シールドケーブルの端末に接続されたインナーハウジングの斜視図、及び、このインナーハウジングの正面図である。
【図７】図６（ｂ）のＡ−Ａ間の断面図である。
【図８】図６におけるインナーハウジングにシールドシェルを取り付けた状態の斜視図、及び、このインナーハウジングの正面図である。
【図９】図８（ｂ）のＢ−Ｂ間の断面図である。
【図１０】図９におけるインナーハウジングをアウターハウジングに収納した状態の断面図である。
【図１１】図７におけるインナーハウジングをアウターハウジングに収納した状態の断面図である。
【発明を実施するための形態】
【００３１】
以下、図１−図１１を参照しながら、本発明に係るコネクタの実施例について説明する。
【実施例】
【００３２】
図１は本発明のコネクタを示す分解斜視図、図２はインナーハウジングの斜視図、図３はシールドシェルの斜視図、図４はアウターハウジングの斜視図、図５は係止部材の斜視図、図６は（ａ）がシールドケーブルの端末に接続されたインナーハウジングの斜視図、（ｂ）が（ａ）のインナーハウジングの正面図、図７は図６（ｂ）のＡ−Ａ間の断面図、図８は（ａ）が図６におけるインナーハウジングにシールドシェルを取り付けた状態の斜視図、（ｂ）が（ａ）のインナーハウジングの正面図、図９は図８（ｂ）のＢ−Ｂ間の断面図、図１０は図９におけるインナーハウジングをアウターハウジングに収納した状態の断面図、図１１は図７におけるインナーハウジングをアウターハウジングに収納した状態の断面図である。
なお、図中の矢印は、上下、左右、前後の各方向を示している（矢印の各方向は一例であるものとする）。
【００３３】
図１において、引用符号１は、本発明の実施例に係るコネクタを示している。
コネクタ１は、特に限定するものではないが、本実施例では、自動車等に搭載される各種電装品の制御部にシールドケーブルを介して電気的に接続することによって電気信号を伝送するためのものである。
【００３４】
コネクタ１は、本実施例では、雌コネクタであるものとする。コネクタ１は、図１に図示するように、シールドケーブル２と、端子３と、防水栓４と、インナーハウジング５と、シールドシェル６と、アウターハウジング７と、シール部材８と、係止部材９と、リアカバー１０とを備えて構成されている。
以下、コネクタ１の各構成について説明する。
【００３５】
まず、シールドケーブル２について説明する。
シールドケーブル２は、図１に図示するように、複数本（本実施例では２本）の信号線１１と、信号線１１の上に設けられた編組１２と、編組１２の上に被覆形成されたシース１３とを備えて構成されている。シールドケーブル２は、端末部において、編組１２とシース１３とが剥ぎ取られ、信号線１１が露出するように形成されている。
【００３６】
信号線１１は、特に図示しないが、導体と、導体の上に被覆される絶縁被覆とを備えて構成されている。
複数本の信号線１１は、編組１２とシース１３とによって被覆されている部分においては撚り合わせられている構成となっており、編組１２とシース１３とが剥ぎ取られ、露出している部分においては上記撚り合わせがほどかれている構成となっている。
【００３７】
つぎに、端子３について説明する。
端子３は、導電性を有する金属板を板金加工して、図１に図示するような形状に形成されている。端子３は、本実施例では、雌端子であるものとする。
端子３は、図１に図示するように、信号線１１の導体に圧着される導体圧着部１４と、接続相手となるコネクタの雄端子と接触する電気接触部１５とを備えて構成されている。
【００３８】
つぎに、防水栓４について説明する。
防水栓４は、弾性を有する合成樹脂により成形される所謂ゴム栓であって、本実施例では、図１に図示するように、断面円形の環状に形成されている。
【００３９】
防水栓４の外周面には、リップ（突条）１６が複数条設けられている。本実施例では、リップ１６は、３条形成されているが、これに限定されるものではない。各リップ１６は、周方向に且つ連続したリング状に設けられている。
複数条のリップ１６は、図１０に図示するように、後述する防水栓装着部５１に装着されると弾性変形状態でアウターハウジング７の防水栓装着部５１の内側に接触して密着性を高めるように形成されている。
【００４０】
防水栓７の中央部には、シールドケーブル２の外周と略同径の貫通孔１７が形成されている。図１０に図示するように、貫通孔１７にシールドケーブル２を挿通すると、貫通孔１７の内面とシールドケーブル２の外面との間は水密になる。
【００４１】
つぎに、インナーハウジング５について説明する。
インナーハウジング５は、合成樹脂により成形され、図１及び図２に図示するように、略箱状に形成されている。インナーハウジング５は、上面１８、下面１９（図６（ｂ）参照）、左側面２０（図６（ｂ）参照）、右側面２１、前面２２及び図示しない背面を備えて構成されている。インナーハウジング５は、この内部に、複数本の信号線１１のそれぞれの端末に圧着された端子３を収納し保持する複数のキャビティ２３が設けられている。インナーハウジング５は、この外周に、シールドシェル６が着脱自在に取り付けられるようになっている。
【００４２】
インナーハウジング５には、アウターハウジング７の後述するインナーハウジング収納保持部５５（図１０及び図１１参照）の内面５６との間に、シールドシェル６の取り付け時（図１０参照）又はシールドシェル６の非取り付け時（図１１参照）のいずれであってもインナーハウジング５をインナーハウジング収納保持部５５にガタ付くことなく収納保持することができる「ガタ抑え手段」が設けられている。
【００４３】
「ガタ抑え手段」は、図１、図２及び図６に図示するように、インナーハウジング５の外面（上面１８、下面１９、左側面２０及び右側面２１）に設けられる前方上面ガタ抑え突起２４、後方上面ガタ抑え突起２５、後方下面ガタ抑え突起２６、後方左側面ガタ抑え突起２７、後方右側面ガタ抑え突起２８及び係合突起３６として形成されている。
前方上面ガタ抑え突起２４、後方上面ガタ抑え突起２５、後方下面ガタ抑え突起２６、後方左側面ガタ抑え突起２７及び後方右側面ガタ抑え突起２８は、特許請求の範囲における「ガタ抑え突起」に相当するものである。
【００４４】
前方上面ガタ抑え突起２４は、図１及び図２に図示するように、インナーハウジング５の上面１８であって、インナーハウジング５の軸方向（図１においては前後方向）の略中間部に配置され、平面視矩形で且つ凸状に形成されている。
前方上面ガタ抑え突起２４は、図８及び図９に図示するように、インナーハウジング５にシールドシェル６を取り付けたときに後述する前方上面係合孔４４に係合するように形成されている。
【００４５】
前方上面ガタ抑え突起２４は、図１０及び図１１に図示するように、インナーハウジング５をインナーハウジング収納保持部５５に収納したときに、シールドシェル６の取り付け時（図１０参照）又はシールドシェル６の非取り付け時（図１１参照）のいずれであってもインナーハウジング収納保持部５５の内面５６に当接し、インナーハウジング収納保持部５５内でのインナーハウジング５のガタ付きを抑えることができるように形成されている。
前方上面ガタ抑え突起２４は、図２及び図６に図示するように、先端面２９と、前面３０ａと、背面３０ｂと、左側面３０ｃと、右側面３０ｄとを備えて構成されている。
先端面２９は、図１０及び図１１に図示するように、インナーハウジング収納保持部５５の内面５６に合わせて平面になるように形成されている。
前面３０ａと、背面３０ｂと、左側面３０ｃと、右側面３０ｄとは、インナーハウジング５の軸方向に略直交するように形成されている。
【００４６】
後方上面ガタ抑え突起２５は、図１及び図２に図示するように、インナーハウジング５の上面１８であって、インナーハウジング５の軸方向の後端近傍に配置され、平面視矩形で且つ凸状に形成されている。
後方上面ガタ抑え突起２５は、図８及び図９に図示するように、インナーハウジング５にシールドシェル６を取り付けたときに後述する後方上面係合孔４５に係合するように形成されている。
【００４７】
後方上面ガタ抑え突起２５は、図１０及び図１１に図示するように、インナーハウジング５をインナーハウジング収納保持部５５に収納したときに、シールドシェル６の取り付け時（図１０参照）又はシールドシェル６の非取り付け時（図１１参照）のいずれであってもインナーハウジング収納保持部５５の内面５６に当接し、インナーハウジング収納保持部５５内でのインナーハウジング５のガタ付きを抑えることができるように形成されている。
後方上面ガタ抑え突起２５は、図１０及び図１１に図示するように、この先端面３１がインナーハウジング収納保持部５５の内面５６に合わせて平面になるように形成されている。後方上面ガタ抑え突起２５は、インナーハウジング５の上面１８と先端面３１とを繋ぐように形成されたテーパ面を有している。
【００４８】
後方下面ガタ抑え突起２６は、図１０及び図１１に図示するように、インナーハウジング５の下面１９であって、インナーハウジング５の軸方向の後端近傍に配置され、平面視矩形で且つ凸状に形成されている。
後方下面ガタ抑え突起２６は、図９に図示するように、インナーハウジング５にシールドシェル６を取り付けたときに後述する後方下面係合孔４６に係合するように形成されている。
【００４９】
後方下面ガタ抑え突起２６は、図１０及び図１１に図示するように、インナーハウジング５をインナーハウジング収納保持部５５に収納したときに、シールドシェル６の取り付け時（図１０参照）又はシールドシェル６の非取り付け時（図１１参照）のいずれであってもインナーハウジング収納保持部５５の内面５６に当接し、インナーハウジング収納保持部５５内でのインナーハウジング５のガタ付きを抑えることができるように形成されている。
後方下面ガタ抑え突起２６は、図１０及び図１１に図示するように、この先端面３２がインナーハウジング収納保持部５５の内面５６に合わせて平面になるように形成されている。後方下面ガタ抑え突起２６は、インナーハウジング５の下面１９と先端面３２とを繋ぐように形成されたテーパ面を有している。
【００５０】
後方左側面ガタ抑え突起２７は、図６（ｂ）に図示するように、インナーハウジング５の左側面２０であって、インナーハウジング５の軸方向の後端近傍に配置され、平面視矩形で且つ凸状に形成されている。
後方左側面ガタ抑え突起２７は、特に図示しないが、インナーハウジング５にシールドシェル６を取り付けたときに後述する後方左側面係合孔（図示せず）に係合するように形成されている。
【００５１】
後方左側面ガタ抑え突起２７は、特に図示しないが、インナーハウジング５をインナーハウジング収納保持部５５に収納したときに、シールドシェル６の取り付け時（図１０参照）又はシールドシェル６の非取り付け時（図１１参照）のいずれであってもインナーハウジング収納保持部５５の内面５６に当接し、インナーハウジング収納保持部５５内でのインナーハウジング５のガタ付きを抑えることができるように形成されている。
後方左側面ガタ抑え突起２７は、この先端面３３がインナーハウジング収納保持部５５の内面５６に合わせて平面になるように形成されている。後方左側面ガタ抑え突起２７は、インナーハウジング５の左側面２０と先端面３３とを繋ぐように形成されたテーパ面を有している。
【００５２】
後方右側面ガタ抑え突起２８は、図２に図示するように、インナーハウジング５の右側面２１であって、インナーハウジング５の軸方向の後端近傍に配置され、平面視矩形で且つ凸状に形成されている。
後方右側面ガタ抑え突起２８は、図８に図示するように、インナーハウジング５にシールドシェル６を取り付けたときに後述する後方右側面係合孔４７に係合するように形成されている。
【００５３】
後方右側面ガタ抑え突起２８は、特に図示しないが、インナーハウジング５をインナーハウジング収納保持部５５に収納したときに、シールドシェル６の取り付け時（図１０参照）又はシールドシェル６の非取り付け時（図１１参照）のいずれであってもインナーハウジング収納保持部５５の内面５６に当接し、インナーハウジング収納保持部５５内でのインナーハウジング５のガタ付きを抑えることができるように形成されている。
後方右側面ガタ抑え突起２８は、この先端面３４がインナーハウジング収納保持部５５の内面５６に合わせて平面になるように形成されている。後方右側面ガタ抑え突起２８は、インナーハウジング５の右側面２１と先端面３４とを繋ぐように形成されたテーパ面を有している。
【００５４】
係合突起３６は、図７に図示するように、インナーハウジング５の下面１９であって、インナーハウジング５の軸方向（図７においては前後方向）の略中間部に配置され、凸状に形成されている。
係合突起３６は、図１０及び図１１に図示するように、インナーハウジング５をインナーハウジング収納保持部５５に収納したときに、後述する係合片５８が係合することができるように形成されている。
係合突起３６は、図１０及び図１１に図示するように、この係合突起３６に係合片５８が係合すると、シールドシェル６の取り付け時（図１０参照）又はシールドシェル６の非取り付け時（図１１参照）のいずれであってもインナーハウジング収納保持部５５内でのインナーハウジング５のガタ付きを抑えることができるように形成されている。
【００５５】
その他、インナーハウジング５は、図７に図示するように、この下面１９に係合片収容凹部３７を有している。
係合片収容凹部３７は、図７に図示するように、インナーハウジング５の下面１９であって、インナーハウジング５の軸方向の略中間部に配置され、凹状に形成されている。
係合片収容凹部３７は、図１０に図示するように、係合片５８が係合突起３６に係合したときに係合片５８の一部が収容されるように形成されている。
【００５６】
つぎに、シールドシェル６について説明する。
シールドシェル６は、導電性を有する金属板を板金加工して、図１及び図３に図示するような筒状に形成されている。
シールドシェル６は、コネクタ１の伝送速度に応じてインナーハウジング５に着脱自在に取り付けられるものである。具体的には、伝送速度が１Ｇｂｐｓを超えるときは、シールドシェル６をインナーハウジング５に取り付け、伝送速度が１Ｇｂｐｓ以下のときは、シールドシェル６をインナーハウジング５に取り付けるものとする。
シールドシェル６は、シールド部３８と、加締め部３９とを備えて構成されている。
【００５７】
シールド部３８は、インナーハウジング５を内部に挿入することによってインナーハウジング５の外周を覆う角筒状に形成されている。シールド部３８は、上面４０、下面４１、左側面４２、右側面４３とを備えて構成されている。
シールド部３８は、図３及び図９に図示するように、上面４０に前方上面係合孔４４及び後方上面係合孔４５が、下面４１に後方下面係合孔４６が、左側面４２に後方左側面係合孔（図示せず）が、右側面４３に後方右側面係合孔４７が、それぞれ形成されている。
前方上面係合孔４４、後方上面係合孔４５、後方下面係合孔４６、後方左側面係合孔及び後方右側面係合孔４７は、特許請求の範囲における「係合孔」に相当するものである。
【００５８】
前方上面係合孔４４は、図１及び図３に図示するように、シールド部３８の上面４０であって、シールド部３８の軸方向（図１においては前後方向）の略中間部に配置され、平面視矩形に貫通形成されている。
前方上面係合孔４４は、図８及び図９に図示するように、シールドシェル６にインナーハウジング５に取り付けたときに、前方上面ガタ抑え突起２４が係合するように形成されている。
【００５９】
後方上面係合孔４５は、図１及び図３に図示するように、シールド部３８の上面４０であって、シールド部３８の軸方向の後端近傍に配置され、平面視矩形に貫通形成されている。
後方上面係合孔４５は、図８及び図９に図示するように、シールドシェル６にインナーハウジング５に取り付けたときに、後方上面ガタ抑え突起２５が係合するように形成されている。
【００６０】
後方下面係合孔４６は、図９に図示するように、シールド部３８の下面４１であって、シールド部３８の軸方向（図９においては前後方向）の後端近傍に配置され、平面視矩形に貫通形成されている。
後方下面係合孔４６は、図９に図示するように、シールドシェル６にインナーハウジング５に取り付けたときに、後方下面ガタ抑え突起２６が係合するように形成されている。
【００６１】
後方左側面係合孔は、特に図示しないが、シールド部の左側面４２であって、シールド部３８の軸方向の後端近傍に配置され、平面視矩形に貫通形成されている。
後方左側面係合孔は、シールドシェル６にインナーハウジング５に取り付けたときに、後方左側面ガタ抑え突起２７が係合するように形成されている。
【００６２】
後方右側面係合孔４７は、図１及び図３に図示するように、シールド部３８の右側面４３であって、シールド部３８の軸方向の後端近傍に配置され、平面視矩形に貫通形成されている。
後方右側面係合孔４７は、シールドシェル６にインナーハウジング５に取り付けたときに、後方右側面ガタ抑え突起２８が係合するように形成されている。
【００６３】
その他、シールドシェル６は、図９に図示するように、この下面４１に、係合片挿通孔４９が形成されている。
係合片挿通孔４９は、シールド部３８の軸方向の略中間部に貫通形成されている。係合片挿通孔４９は、シールドシェル６にインナーハウジング５に取り付けたときに、係合突起３６が係合するとともに係合片収容凹部３７に連通する位置に配置形成されている。
【００６４】
つぎに、アウターハウジング７について説明する。
アウターハウジング７は、合成樹脂により成形され、図１及び図４に図示するように、筒状に形成されている。
アウターハウジング７は、フード部５０と、防水栓装着部５１とを備えて構成されている。
【００６５】
フード部５０は、図１及び図４に図示するように、この前面が、相手コネクタ挿通孔５２として開口形成されている。相手コネクタ挿通孔５２は、コネクタ１が相手コネクタ（図示せず）と嵌合したときに、相手コネクタが挿通することができるように形成されている。
フード部５０は、この上面に、相手コネクタと係合し相手コネクタとの嵌合状態を保持する係合アーム５３が設けられている。
フード部５０は、図１０に図示するように、この側面に、係止部材９を装着することができるように形成された係止部材装着孔６１が設けられている。
【００６６】
フード部５０は、図１及び図４に図示するように、この内側に、相手コネクタ収容空間５４と、インナーハウジング収納保持部５５とを有している。
相手コネクタ嵌合空間５４は、相手コネクタ挿通孔５２に連通し、コネクタ１が相手コネクタと嵌合したときに、相手コネクタが収容される空間として形成されている。
【００６７】
インナーハウジング収納保持部５５は、図１０に図示するように、フード部５０の軸方向（図１０においては前後方向）に沿って相手コネクタ挿通孔５２からフード部２０の後端近傍まで延び、角筒状に形成されている。インナーハウジング収納保持部５５は、インナーハウジング収納保持部５５の軸方向（図１０においては前後方向）の後端側の外側に、シール部材８が装着されるようになっている。
インナーハウジング収納保持部５５は、この内側に、インナーハウジング移動規制突起５７と、係合片５８と、インナーハウジング収納保持室５９とを有している。
【００６８】
インナーハウジング移動規制突起５７は、図１０に図示するように、インナーハウジング収納保持部５５の内面５６であって、インナーハウジング収納保持部５５の軸方向の略中間部で且つインナーハウジング収納保持部５５にインナーハウジング５を収納したときに前方上面ガタ抑え突起２４の前面３０ａと当接する位置に配置され、凸状に形成されている。
インナーハウジング移動規制突起５７は、この後端にインナーハウジング収納保持部５５の軸方向に略直交するように形成された当接面６０が形成されている。
【００６９】
係合片５８は、図１０に図示するように、インナーハウジング収納保持部５５の内面５６であって、インナーハウジング収納保持部５５の軸方向の略中間部で且つインナーハウジング収納保持部５５にインナーハウジング５を収納したときに係合突起３６と係合する位置に配置されている。
【００７０】
インナーハウジング収納保持室５９は、インナーハウジング収納保持部５５の内側に形成され、インナーハウジング収納保持部５５内に挿入されたインナーハウジング５を収納保持する空間として形成されている。
【００７１】
防水栓装着部５１は、図１０に図示するように、フード部５０の後端に連続し、内側に防水栓４が装着されるように形成されている。防水栓装着部５１は、この外側にリアカバー１０が装着されるように形成されている。
【００７２】
つぎに、シール部材８について説明する。
シール部材８は、弾性を有する合成樹脂により成形される所謂パッキンであって、本実施例では、図１に図示するように、断面矩形の環状に形成されている。シール部材８は、図１０に図示するように、インナーハウジング収納保持部５５の外側に装着することができるように形成されている。
【００７３】
シール部材８の外周面には、リップ（突条）６２が複数条設けられている。本実施例では、リップは２条形成されているが、これに限定されるものではない。各リップ６２は、周方向に且つ連続したリング状に設けられている。各リップ６２は、弾性変形状態で、相手コネクタのハウジングに接触して密着性を高めるように形成されている。
【００７４】
つぎに、係止部材９について説明する。
係止部材９は、合成樹脂により成形され、図１及び図５に図示するように、装着部６３と、係止部６４とを有している。
装着部６３は、図５に図示するように、湾曲壁６５と、湾曲壁６５の一端に連続する上壁６６と、湾曲壁６５の他端に連続する下壁６７とを備えて構成されている。装着部６３は、図１０に図示するように、アウターハウジング７のフード部５０に形成された係止部材装着孔６１に装着することができるように形成されている。
【００７５】
係止部６４は、図５に図示するように、装着部６３の内側に設けられ、断面矩形に形成されている。係止部６４は、この前端が当接面６８として形成されている。
【００７６】
つぎに、リアカバー１０について説明する。
リアカバー１０は、合成樹脂により成形され、図１及び図１０に図示するように、嵌着部６９と、ケーブル挿通溝７０を有している。
嵌着部６９は、アウターハウジング７の防水栓装着部５１の外側に嵌着することができるように形成されている。
ケーブル挿通溝７０は、嵌着部６９の後部に、シールドケーブル２が挿通されるように形成されている。
【００７７】
つぎに、シールドシェル６を構成に含む（シールドシェル６をインナーハウジング５に取り付けている）コネクタ１の組立作業の手順と、各部の作用について説明する。
まず、図１に図示するように、シールドケーブル２の端末部において、編組１２及びシース１３を剥ぎ取って露出させた複数本の信号線１１のそれぞれの端末に端子３を加締めによって圧着する。
なお、シールドケーブル２は、この外側に、あらかじめ、防水栓４を装着しておくものとする。
【００７８】
そして、各端子３をインナーハウジング５のキャビティ２３に挿入し、各端子３をそれぞれのキャビティ２３に収納保持する（図６参照）。
しかる後、図８に図示するように、インナーハウジング５をシールドシェル６のシールド部３８に収納し、加締め部３９を加締めてシールドシェル６とシールドケーブル２の編組１２とを電気的に接続する。
インナーハウジング５をシールドシェル６のシールド部３８に収納すると、図９に図示するように、インナーハウジング５の前方上面ガタ抑え突起２４がシールドシェル６の前方上面係合孔４４と係合し、インナーハウジング５の後方上面ガタ抑え突起２５がシールドシェル６の後方上面係合孔４５と係合し、インナーハウジング５の後方下面ガタ抑え突起２６がシールドシェル６の後方下面係合孔４６と係合する。また、インナーハウジング５をシールドシェル６のシールド部３８に収納すると、特に図示しないが、インナーハウジング５の後方左側面ガタ抑え突起２７（図６（ｂ）参照）がシールドシェル６の後方左側面係合孔（図示せず）と係合する。さらに、インナーハウジング５をシールドシェル６のシールド部３８に収納すると、図８に図示するように、インナーハウジング５の後方右側面ガタ抑え突起２８がシールドシェル６の後方右側面係合孔４７と係合する。
【００７９】
そして、図８及び図９に図示するインナーハウジング５を、図１０に図示するように、アウターハウジング７のインナーハウジング収納保持部５５に収納保持する。
インナーハウジング５のインナーハウジング収納保持部５５への収納は、まず、図１０に図示するアウターハウジング７（防水栓装着部５１）の後端から、図８及び図９に図示するインナーハウジング５を挿入し、アウターハウジング７の前端側へ押し込んでいく。そして、インナーハウジング５の係合突起３６がインナーハウジング収納保持部５５の軸方向の略中間部に到達すると、この係合突起３６にインナーハウジング収納保持部５５の係合片５８が係合（一次係止）する。一次係止がされることにより、インナーハウジング５をインナーハウジング収納保持部５５に確実に収納保持することができる。
【００８０】
また、一次係止がされた時、図１０に図示するように、前方上面ガタ抑え突起２４の前面３０ａがインナーハウジング移動規制突起５７の当接面６０に当接することにより、インナーハウジング５がインナーハウジング収納保持部５５の前端側に移動するのを規制する。このため、インナーハウジング５の先端がインナーハウジング収納保持部５５の外側に突出するのを防止することができる。
【００８１】
一次係止がされた後、図１に図示する係止部材９を、図１０に図示するように、アウターハウジング７の係止部材装着孔６１に装着して係止部６４をインナーハウジング５の前方上面ガタ抑え突起２４に係止（二次係止）する。
図１０に図示するように、二次係止することにより、前方上面ガタ抑え突起２４の背面３０ｂが係止部６４の当接面６８に当接する。これにより、例えば、図１０において、シールドケーブル２に後方へ引っ張る力が作用することによりシールドケーブル２が後方に引っ張られたとしても、インナーハウジング５が後方（シールドケーブル２の引っ張り方向）に移動するのが規制される。
【００８２】
しかる後、図１０に図示するように、アウターハウジング７の防水栓装着部５１に対して、ケーブル挿通溝７０にシールドケーブル２が挿通されるようにリアカバー１０を装着する。以上により、コネクタ１の組立作業が完了する。
コネクタ１は、図１０に図示するように、シールド部３８の上面４０、下面４１、左側面４２（図８参照）及び右側面４３（図８参照）が、インナーハウジング収納保持部５５の内面５６に面接触するため、インナーハウジング５がインナーハウジング収納保持室５９内において、上下方向及び左右方向（図１０においては紙面の表面から裏面に抜ける方向）にガタ付くことはない。
【００８３】
つぎに、シールドシェル６を構成に含まない（シールドシェル６をインナーハウジング５に取り付けていない）コネクタ１の各部の作用について説明する。
図１１に図示するように、コネクタ１は、シールドシェル６を備えていないため、インナーハウジング５の上面１８、下面１９、左側面２０（図６（ｂ）参照）及び右側面２１（図６（ａ）参照）と、インナーハウジング収納保持部５５の内面５６との間には、シールドシェル６の厚さの分だけ隙間７１が形成されている。
【００８４】
ここで、図１１に図示するように、インナーハウジング５の前側（図１１においてはインナーハウジング５の前後方向の略中間部）に配置される前方上面ガタ抑え突起２４がインナーハウジング収納保持部５５の内面５６に当接し且つインナーハウジング５の前側に配置される係合突起３６にインナーハウジング収納保持部５５の係合片５８が係合することにより、前方上面ガタ抑え突起２４及び係合突起３６がインナーハウジング５の前側における支持部となり、インナーハウジング５の上下方向におけるガタ付きを抑えることができる。また、図１１に図示するように、インナーハウジング５の後側（図１１においてはインナーハウジング５の前後方向の後端近傍）に配置される後方上面ガタ抑え突起２５、後方下面ガタ抑え突起２６、後方左側面ガタ抑え突起２７（図６（ｂ）参照）及び後方右側面ガタ抑え突起２８（図６（ａ）参照）がインナーハウジング収納保持部５５の内面５６に当接することにより、後方上面ガタ抑え突起２５、後方下面ガタ抑え突起２６、後方左側面ガタ抑え突起２７及び後方右側面ガタ抑え突起２８がインナーハウジング５の後側における支持部となり、インナーハウジング５の上下方向及び左右方向（図１１においては紙面の表面から裏面に抜ける方向）におけるガタ付きを抑えることができる。
【００８５】
このようなコネクタ１は、上記の通り、インナーハウジング５にシールドシェル６を取り付けていなくてもインナーハウジング５のガタ付きを抑えることができる。これにより、コネクタ１は、シールドシェル６の有無に関わらずインナーハウジング５とアウターハウジング７を共用することができるようになる。このことから、コネクタ１は、伝送速度が高速時（１Ｇｂｐｓを超える場合）と低速時（１Ｇｂｐｓ以下の場合）のいずれであっても、シールドシェル６を着脱するだけで、どちらにも対応することができるようになる。したがって、コネクタ１は、部品点数を減らすことができるようになる。
【００８６】
また、図１１に図示するように、前方上面ガタ抑え突起２４の先端面２９と、後方上面ガタ抑え突起２５の先端面３１と、後方下面ガタ抑え突起２６の先端面３２と、後方左側面ガタ抑え突起２７の先端面３３（図６（ｂ）参照）と、後方右側面ガタ抑え突起２８の先端面３４（図６（ａ）参照）は、いずれも、インナーハウジング収納保持部５５の内面５６に合わせて平面になるように形成されている。このため、前方上面ガタ抑え突起２４の先端面２９、後方上面ガタ抑え突起２５の先端面３１、後方下面ガタ抑え突起２６の先端面３２、後方左側面ガタ抑え突起２７の先端面３３（図６（ｂ）参照）及び後方右側面ガタ抑え突起２８の先端面３４（図６（ａ）参照）は、いずれも、インナーハウジング収納保持部５５の内面５６に面接触することにより、インナーハウジング収納保持部５５でのインナーハウジング５のガタ付きを安定して抑えることができるようになる。
【００８７】
また、図１１に図示するように、前方上面ガタ抑え突起２４及び係合突起３６がインナーハウジング５の前側に配置され、後方上面ガタ抑え突起２５、後方下面ガタ抑え突起２６、後方左側面ガタ抑え突起２７（図６（ｂ）参照）及び後方右側面ガタ抑え突起２８（図６（ａ）参照）がインナーハウジング５の後側に配置されていることにより、インナーハウジングのガタ付きの抑制は、インナーハウジングの前側及び後側のそれぞれで行われる。このため、インナーハウジング５に対して、例えば、インナーハウジング５を図１１に図示する矢印Ｃの指示する方向に揺動させるような力が作用したとしても、このような力が作用することによるガタ付き（揺動的ガタ）を抑制することができるようになる。
【００８８】
さらに、図１１に図示するように、係止部材９の係止部６４をインナーハウジング５の前方上面ガタ抑え突起２４に二次係止するため、前方上面ガタ抑え突起２４は、インナーハウジング移動規制突起５７と、係止部６４とで挟持されることになる。これにより、例えば、図１１において、シールドケーブル２が後方に引っ張られたときにインナーハウジング５がシールドケーブル２の引っ張り方向に移動するのを規制することができるのは勿論のこと、インナーハウジング収納保持部５５でのインナーハウジング５のガタ付きを、より確実に抑えることができるようになる。
【００８９】
以上、図１−図１１を参照しながら説明してきたように、本発明によれば、シールドシェル６の有無に関わらずインナーハウジング５をアウターハウジング７にガタ付くことなく収納保持することができるとともに、インナーハウジング５とアウターハウジング７を共用することにより部品点数を減らすことができるコネクタ１を提供できる。
【００９０】
この他、本発明は本発明の主旨を変えない範囲で種々変更実施可能なことは勿論である。
【符号の説明】
【００９１】
１…コネクタ、  ２…シールドケーブル、  ３…端子、  ４…防水栓、  ５…インナーハウジング、  ６…シールドシェル、  ７…アウターハウジング、  ８…シール部材、  ９…係止部材、  １０…リアカバー、  １１…信号線、  １２…編組、  １３…シース、  １４…導体圧着部、  １５…電気接触部、  １６，６２…リップ（突条）、  １７…貫通孔、  １８，４０…上面、  １９，４１…下面、  ２０，４２…左側面、  ２１，４３…右側面、  ２２…前面、  ２３…キャビティ、  ２４…前方上面ガタ抑え突起、  ２５…後方上面ガタ抑え突起、  ２６…後方下面ガタ抑え突起、  ２７…後方左側面ガタ抑え突起、  ２８…後方右側面ガタ抑え突起、  ２９，３１，３２，３３，３４…先端面、  ３０ａ…前面、  ３０ｂ…背面、  ３０ｃ…左側面、  ３０ｄ…右側面、  ３６…係合突起、  ３７…係合片収容凹部、  ３８…シールド部、  ３９…加締め部、  ４４…前方上面係合孔、  ４５…後方上面係合孔、  ４６…後方下面係合孔、  ４７…後方右側面係合孔、  ４９…係合片挿通孔、  ５０…フード部、  ５１…防水栓装着部、  ５２…相手コネクタ挿通孔、  ５３…係合アーム、  ５４…相手コネクタ嵌合空間、  ５５…インナーハウジング収納保持部、  ５６…内面、  ５７…インナーハウジング移動規制突起、  ５８…係合片、  ５９…インナーハウジング収納保持室、  ６０，６８…当接面、  ６１…係止部材装着孔、  ６３…装着部、  ６４…係止部、  ６５…湾曲壁、  ６６…上壁、  ６７…下壁、  ６９…嵌着部、  ７０…ケーブル挿通溝、  ７１…隙間
【図１】
2018026269.tif 000003
【図２】
2018026269.tif 000004
【図３】
2018026269.tif 000005
【図４】
2018026269.tif 000006
【図５】
2018026269.tif 000007
【図６】
2018026269.tif 000008
【図７】
2018026269.tif 000009
【図８】
2018026269.tif 000010
【図９】
2018026269.tif 000011
【図１０】
2018026269.tif 000012
【図１１】
2018026269.tif 000013